(57)【要約】  【課題】  従来にはないインタラクティブな情報の提供が可能な情報提供装置を提供する。  【解決手段】  情報提供装置１は、自然法則に従って流れる滝の水の動きを流体シミュレーションに基づいて計算する流体動き計算部６と、水の流れに従って流体中を移動する情報カードＣの動きを流体シミュレーションに基づいて計算する情報カード動き計算部７と、滝の水の映像と情報カードＣの映像を映像表示面８に表示する映像表示部３と、映像表示面８に表示された情報カードＣの映像に対してユーザがタッチ操作したときに、ユーザによりタッチ操作された情報カードＣ（タッチ対象）を検出するタッチ対象検出部９と、情報カードＣの映像をタッチ操作したユーザ（タッチ主体）を検出するタッチ主体検出部１０と、タッチ主体のユーザが所有する端末装置１１に、タッチ対象の情報カードＣが担持する情報を送信する情報送信部５を備える。【選択図】  図１
2017042985.tif 000002
【特許請求の範囲】
【請求項１】
所定の法則に従って流れる流体の動きを流体シミュレーションに基づいて計算する流体動き計算部と、
前記流体の流れに従って前記流体中を移動する情報担持体の動きを流体シミュレーションに基づいて計算する情報担持体動き計算部と、
前記流体の映像と前記情報担持体の映像を映像表示面に表示する映像表示部と、
前記映像表示面に表示された前記情報担持体の映像に対してユーザがタッチ操作したときに、前記ユーザによりタッチ操作された情報担持体をタッチ対象として検出するタッチ対象検出部と、
前記情報担持体の映像をタッチ操作した前記ユーザをタッチ主体として検出するタッチ主体検出部と、
前記タッチ主体のユーザが所有する端末装置に、前記タッチ対象の情報担持体が担持する情報を送信する情報送信部と、を備える、
情報提供装置。
【請求項２】
前記映像表示面は、筒状の第１表示面と、平面状の第２表示面とを含み、
前記映像表示部は、前記第１表示面に前記流体の映像と前記情報担持体の映像を投影する第１投影部と、前記第２表示面に前記流体の映像と前記情報担持体の映像を投影する第２投影部とを含む、
請求項１に記載の情報提供装置。
【請求項３】
前記筒状の第１表示面は、垂直方向に延びるように設置され、
前記平面状の第２表示面は、水平方向に広がるように設置され、
前記第２表示部の中心部分において前記第１表示面と前記第２表示面は連続しており、
前記流体の流れは、前記第１表示面の上方から下方に向けて流れた後、前記第２表示面の中心から外周に向けて流れるように設定されている、
請求項２に記載の情報提供装置。
【請求項４】
前記ユーザの端末装置が挿入される端末挿入部と、
前記端末挿入部に挿入された端末装置と通信することにより、当該端末装置を特定する端末特定部と、を備える、
請求項１に記載の情報提供装置。
【請求項５】
前記端末挿入部は、前記第２表示面の下方に配置され、
前記第２表示面には、前記端末挿入部に対応する位置に、前記ユーザによりタッチ操作された情報担持体が引き寄せられる吸引口の映像が表示される、
請求項４に記載の情報提供装置。
【請求項６】
前記タッチ操作は、第１タッチ操作と第２タッチ操作を含み、
前記映像表示面に表示された前記情報担持体の映像に対してユーザが前記第１タッチ操作を行うと、前記情報担持体が流体中から浮かび上がり、
前記浮かび上がった前記情報担持体の映像に対してユーザが前記第２タッチ操作を行うと、前記情報担持体が前記吸引口に引き寄せられる、
請求項５に記載の情報提供装置。
【請求項７】
前記流体の映像では、前記流体の動きが線を用いて表現されており、
前記情報担持体の映像では、前記情報担持体が担持するコンテンツを表す画像が表示されている、
請求項１に記載の情報提供装置。
【請求項８】
前記タッチ主体検出部は、前記映像表示面が含まれる撮影エリアのカメラ画像を用いて、前記情報担持体の映像をタッチ操作した前記ユーザを検出する、
請求項１に記載の情報提供装置。
【請求項９】
前記タッチ対象検出部は、前記映像表示面に設けられた赤外線センサを用いて、前記ユーザによりタッチ操作された情報担持体を検出する、
請求項１に記載の情報提供装置。
【請求項１０】
所定の法則に従って流れる流体の動きを流体シミュレーションに基づいて計算する流体動き計算部と、
前記流体の流れに従って前記流体中を移動する情報担持体の動きを流体シミュレーションに基づいて計算する情報担持体動き計算部と、
前記流体の映像と前記情報担持体の映像が表示される映像表示面と、
前記流体の映像と前記情報担持体の映像を前記映像表示面に表示する映像表示部と、
前記映像表示面に表示された前記情報担持体の映像に対してユーザがタッチ操作したときに、前記ユーザによりタッチ操作された情報担持体をタッチ対象として検出するタッチ対象検出部と、
前記情報担持体の映像をタッチ操作した前記ユーザをタッチ主体として検出するタッチ主体検出部と、
前記タッチ主体のユーザが所有する端末装置に、前記タッチ対象の情報担持体が担持する情報を送信する情報送信部と、を備える、
情報提供システム。
【請求項１１】
情報提供装置で実行される情報提供方法であって、
所定の法則に従って流れる流体の動きを流体シミュレーションに基づいて計算することと、
前記流体の流れに従って前記流体中を移動する情報担持体の動きを流体シミュレーションに基づいて計算することと、
前記流体の映像と前記情報担持体の映像を映像表示面に表示することと、
前記映像表示面に表示された前記情報担持体の映像に対してユーザがタッチ操作したときに、前記ユーザによりタッチ操作された情報担持体をタッチ対象として検出することと、
前記情報担持体の映像をタッチ操作した前記ユーザをタッチ主体として検出することと、
前記タッチ主体のユーザが所有する端末装置に、前記タッチ対象の情報担持体が担持する情報を送信することと、を含む、
情報提供方法。
【発明の詳細な説明】
【技術分野】
【０００１】
本発明は、ユーザにインタラクティブに情報を提供する機能を備えた情報提供装置に関する。
【背景技術】
【０００２】
従来から、直感的なユーザの動作によって、簡単に各種の制御を実現する装置が提案されている。例えば、従来の装置では、所定の撮影領域を撮影して撮影情報を出力するカメラと、撮影領域内におけるユーザの指先の３次元座標情報を、カメラからの撮影情報に基づいて取得するとともに、３次元座標情報に基づいて制御指令を出力コンピュータとを有している（例えば特許文献１参照）。
【先行技術文献】
【特許文献】
【０００３】
【特許文献１】特開２００９−２５１７０２号公報
【発明の概要】
【発明が解決しようとする課題】
【０００４】
しかしながら、ユーザにインタラクティブに情報を提供する機能を備えた情報提供装置の分野においては、従来にはない新しい技術の開発が望まれている。【０００５】
本発明は、上記の課題に鑑みてなされたもので、インタラクティブな情報の提供が可能な情報提供装置を提供することを目的とする。
【課題を解決するための手段】
【０００６】
本発明の情報提供装置は、所定の法則に従って流れる流体の動きを流体シミュレーションに基づいて計算する流体動き計算部と、前記流体の流れに従って前記流体中を移動する情報担持体の動きを流体シミュレーションに基づいて計算する情報担持体動き計算部と、前記流体の映像と前記情報担持体の映像を映像表示面に表示する映像表示部と、前記映像表示面に表示された前記情報担持体の映像に対してユーザがタッチ操作したときに、前記ユーザによりタッチ操作された情報担持体をタッチ対象として検出するタッチ対象検出部と、前記情報担持体の映像をタッチ操作した前記ユーザをタッチ主体として検出するタッチ主体検出部と、前記タッチ主体のユーザが所有する端末装置に、前記タッチ対象の情報担持体が担持する情報を送信する情報送信部と、を備えている。【０００７】
この構成により、所定の法則に従って流れる流体の映像とともに、その流体の流れに従って流体中を移動する情報担持体の映像が映像表示面に表示される。情報担持体の映像にユーザがタッチ操作をすると、ユーザが所有する端末装置に情報担持体が担持する情報が送信される。これにより、従来にはないインタラクティブな情報の提供が可能になる。【０００８】
本発明の情報提供装置では、前記映像表示面は、筒状の第１表示面と、平面状の第２表示面とを含み、前記映像表示部は、前記第１表示面に前記流体の映像と前記情報担持体の映像を投影する第１投影部と、前記第２表示面に前記流体の映像と前記情報担持体の映像を投影する第２投影部とを含んでもよい。【０００９】
本発明の情報提供装置では、前記筒状の第１表示面は、垂直方向に延びるように設置され、前記平面状の第２表示面は、水平方向に広がるように設置され、前記第２表示部の中心部分において前記第１表示面と前記第２表示面は連続しており、前記流体の流れは、前記第１表示面の上方から下方に向けて流れた後、前記第２表示面の中心から外周に向けて流れるように設定されてもよい。【００１０】
本発明の情報提供装置は、前記ユーザの端末装置が挿入される端末挿入部と、前記端末挿入部に挿入された端末装置と通信することにより、当該端末装置を特定する端末特定部と、を備えてもよい。【００１１】
本発明の情報提供装置では、前記端末挿入部は、前記第２表示面の下方に配置され、前記第２表示面には、前記端末挿入部に対応する位置に、前記ユーザによりタッチ操作された情報担持体が引き寄せられる吸引口の映像が表示されてもよい。【００１２】
本発明の情報提供装置では、前記タッチ操作は、第１タッチ操作と第２タッチ操作を含み、前記映像表示面に表示された前記情報担持体の映像に対してユーザが前記第１タッチ操作を行うと、前記情報担持体が流体中から浮かび上がり、前記浮かび上がった前記情報担持体の映像に対してユーザが前記第２タッチ操作を行うと、前記情報担持体が前記吸引口に引き寄せられてもよい。【００１３】
本発明の情報提供装置では、前記流体の映像では、前記流体の動きが線を用いて表現されており、前記情報担持体の映像では、前記情報担持体が担持するコンテンツを表す画像が表示されてもよい。【００１４】
本発明の情報提供装置では、前記タッチ主体検出部は、前記映像表示面が含まれる撮影エリアのカメラ画像を用いて、前記情報担持体の映像をタッチ操作した前記ユーザを検出してもよい。【００１５】
本発明の情報提供装置では、前記タッチ対象検出部は、前記映像表示面に設けられた赤外線センサを用いて、前記ユーザによりタッチ操作された情報担持体を検出してもよい。
【発明の効果】
【００１６】
本発明によれば、流体中を移動する情報担持体の映像にユーザがタッチ操作をすると、ユーザが所有する端末装置に情報担持体が担持する情報が送信される。これにより、従来にはないインタラクティブな情報の提供が可能になる。
【図面の簡単な説明】
【００１７】
【図１】本発明の実施の形態における情報提供装置のブロック図である。
【図２】本発明の実施の形態における映像表示面の説明図である。
【図３】本発明の実施の形態における映像表示部の説明図である。
【図４】本発明の実施の形態における情報カードの流れの説明図である。
【図５】本発明の実施の形態における情報提供装置の動作説明のためのフロー図である。
【図６】本発明の実施の形態におけるタッチ操作処理のフロー図である。
【図７】他の実施の形態における映像表示面の説明図である。
【図８】他の実施の形態における映像表示面の説明図である。
【発明を実施するための形態】
【００１８】
以下、本発明の実施の形態の情報提供装置について、図面を用いて説明する。本実施の形態では、イベント会場の展示ブース等に用いられる情報提供装置の場合を例示する。
【００１９】
本発明の実施の形態の情報提供装置の構成を、図面を参照して説明する。図１は、本実施の形態の情報提供装置を示すブロック図である。図１に示すように、情報提供装置１は、制御部２と、映像表示部３と、端末挿入部４と、情報送信部５を備えている。
【００２０】
制御部２は、所定の法則（例えば自然法則）に従って流れる滝の水の動きを流体シミュレーションに基づいて計算する流体動き計算部６と、滝の水の流れに従って水の中を移動する情報カードＣの動きを流体シミュレーションに基づいて計算する情報カード動き計算部７を備えている。映像表示部３は、このようにして動きが計算された滝の映像と情報カードＣの映像を映像表示面８に表示する。
【００２１】
また、制御部２は、映像表示面８に表示された情報カードＣの映像に対してユーザがタッチ操作したときに、ユーザによりタッチ操作された情報カードＣ（タッチ対象）を検出するタッチ対象検出部９と、情報カードＣの映像をタッチ操作したユーザ（タッチ主体）を検出するタッチ主体検出部１０を備えている。タッチ主体検出部１０は、映像表示面８が含まれる撮影エリアのカメラ画像を用いて、情報カードＣの映像をタッチ操作したユーザを検出する。タッチ対象検出部９は、映像表示面８に設けられた赤外線センサ（図示せず）を用いて、ユーザによりタッチ操作された情報カードＣを検出する。情報送信部５は、タッチ主体のユーザが所有する端末装置１１に、タッチ対象の情報カードＣが担持する情報を送信する。
【００２２】
図２に示すように、映像表示面８は、筒状の第１表示面１２と、平面状の第２表示面１３を含んでいる。この場合、筒状の第１表示面１２は、垂直方向に延びるように設置されており、平面状の第２表示面１３は、水平方向に広がるように設置されている。そして、第２表示部の中心部分において第１表示面１２と第２表示面１３は連続しており、滝の水の流れは、第１表示面１２の上方から下方に向けて流れた後、第２表示面１３の中心から外周に向けて流れるように設定されている（図４参照）。
【００２３】
図３に示すように、映像表示部３は、第１表示面１２に滝の水（流れ落ちる水）の映像と情報カードＣの映像を投影する第１投影部１４と、第２表示面１３に滝の水（滝から流れてくる水）の映像と情報カードＣの映像を投影する第２投影部１５を含んでいる。第１表示面１２や第２表示面１３は、例えばスクリーンであり、第１投影部１４や第２投影部１５は、例えばプロジェクタ装置で構成される。第１投影部１４は、第１表示面１２の外側上方に設置されており、第２投影部１５は、第２表示面１３の上方に設置されている。
【００２４】
図４に示すように、端末挿入部４には、ユーザの端末装置１１が挿入される。制御部２は、端末挿入部４に挿入された端末装置１１と通信することにより、その端末装置１１を特定する端末特定部１６を備えている。この場合、端末挿入部４は、第２表示面１３の下方に配置されており、第２表示面１３には、端末挿入部４に対応する位置に、ユーザによりタッチ操作された情報カードＣが引き寄せられる吸引口Ｈの映像が表示される。
【００２５】
図２および図４に示すように、滝の水の映像では、水の動きが「線」を用いて表現されている。情報カードＣは、ユーザに提供する種々のコンテンツを担持しており、情報カードＣの映像では、情報カードＣが担持するコンテンツを表す画像（代表画像）が表示されている。ユーザは、その代表画像を見ることにより、情報カードＣが担持するコンテンツを認識することができる。
【００２６】
以上のように構成された情報提供装置１について、図５および図６のフロー図を参照してその動作を説明する。
【００２７】
本実施の形態の情報提供装置１を用いてユーザに情報を提供する場合には、図５に示すように、まず、流体シミュレーションを用いて滝の水の動きが計算されるとともに（Ｓ１）、その水の中を流れる情報カードＣの動きが計算される（Ｓ２）。そして、このように動きが計算された滝の水の映像と情報カードＣの映像が映像表示面８に表示される（Ｓ３）。
【００２８】
つぎに、ユーザが端末装置１１を端末挿入部４に挿入すると（Ｓ４）、その端末装置１１と通信することにより、端末挿入部４に挿入された端末装置１１が特定される（Ｓ５）。その後、ユーザによりタッチ操作が行われると（Ｓ６）、映像表示面８に設けられた赤外線センサ（図示せず）を用いて、ユーザによりタッチ操作された情報カードＣ（タッチ対象）を検出するとともに（Ｓ７）、カメラ画像を用いて情報カードＣの映像をタッチ操作したユーザ（タッチ主体）を検出する（Ｓ８）。具体的には、カメラ画像からユーザ（タッチ主体）の立ち位置を検出するようにすればよい。
【００２９】
そして、ユーザのタッチ操作により実行される処理（タッチ操作処理）が実行される（Ｓ９）。この場合、図６に示すように、映像表示面８に表示された情報カードＣの映像に対してユーザが第１タッチ操作（１回目のタッチ操作）を行うと（Ｓ９０）、情報カードＣが水の中から浮かび上がり（Ｓ９１）、浮かび上がった情報カードＣの映像に対してユーザが第２タッチ操作（２回目のタッチ操作）を行うと（Ｓ９２）、その情報カードＣが吸引口Ｈに引き寄せられる（Ｓ９３）。その後、タッチ主体のユーザが所有する端末装置１１に、タッチ対象の情報カードＣが担持する情報が送信される（Ｓ１０）。具体的には、カメラ画像からユーザ（タッチ主体）の立ち位置が検出されているので、そのユーザの立ち位置に最も近い端末挿入部４に挿入されている端末装置１１に対して、タッチ対象の情報カードＣが担持する情報を送信するようにすればよい。つまり、ユーザの立ち位置に最も近い端末挿入部４に挿入されている端末装置１１は、そのユーザが所有する端末装置１１であると推定することが可能である。
【００３０】
このような本実施の形態の情報提供装置１によれば、自然法則に従って流れる滝の水の映像とともに、その水の中を移動する情報カードＣの映像が映像表示面８に表示される。情報カードＣの映像にユーザがタッチ操作をすると、ユーザが所有する端末装置１１に情報カードＣが担持する情報が送信される。これにより、従来にはないインタラクティブな情報の提供が可能になる。
【００３１】
以上、本発明の実施の形態を例示により説明したが、本発明の範囲はこれらに限定されるものではなく、請求項に記載された範囲内において目的に応じて変更・変形することが可能である。
【００３２】
例えば、図７に示すように、第１表示面１２と第２表示面１３は半分に切断され、背面にミラー１７が設置されてもよい。また、図８（ａ）に示すように、第１表示面１２と第２表示面１３がともに平面状であってもよい。さらに、図８（ｂ）に示すように、映像表示面８は、一つの曲面で形成されてもよい。
【００３３】
また、別の実施形態として、「情報担持体の映像をタッチ操作したユーザをタッチ主体として検出するタッチ主体検出部」を省略することも可能である。この実施形態の場合、まず、タッチ対象検出部によって、ユーザにより情報担持体がタッチ操作された映像表示面上の座標（タッチ座標）を検出する。そして、端末特定部は、そのタッチ座標に基づいて、情報担持体が担持する情報の通信を行うための１つの端末挿入部を決定する。例えば、端末特定部は、タッチ座標から最も近い端末挿入部を、情報担持体が担持する情報の通信を行うための１つの端末挿入部として決定することとしてもよい。また、例えば、端末特定部は、流体シミュレーションによって計算された流体の流れに基づいて、そのタッチ座標から情報担持体が流れ着く可能性の最も高い端末挿入部を、情報担持体が担持する情報の送信を行うための１つの端末挿入部として決定することもできる。さらに、ユーザによる情報担持体のタッチ操作が継続し、そのまま映像面上の吸引口にまで情報担持体をドラッグする操作が行われた場合、端末特定部は、連続的なタッチ座標に基づいて、情報担持体がドラッグされた吸引口に対応する端末挿入部を、情報担持体が担持する情報の送信を行うための１つの端末挿入部として決定することもできる。その後、端末特定部は、上記のようにして決定した１つの端末挿入部に挿入されている端末装置との通信を開始する。そして、情報送信部は、端末特定部が通信を開始した端末装置に対して、タッチ対象の情報担持体が担持する情報を送信する。このようにすれば、「タッチ主体検出部」を省略した場合であっても、ユーザにより情報担持体がタッチ操作された映像表示面上の座標（タッチ座標）に基づいて１つの端末装置を特定し、情報担持体が担持する情報を適切に送信することが可能となる。
【産業上の利用可能性】
【００３４】
以上のように、本発明にかかる情報提供装置は、従来にはないインタラクティブな情報の提供が可能になるという効果を有し、イベント会場の展示ブース等に用いられ、有用である。
【符号の説明】
【００３５】
１  情報提供装置
２  制御部
３  映像表示部
４  端末挿入部
５  情報送信部
６  流体動き計算部
７  情報カード動き計算部
８  映像表示面
９  タッチ対象検出部
１０  タッチ主体検出部
１１  端末装置
１２  第１表示面
１３  第２表示面
１４  第１投影部
１５  第２投影部
１６  端末特定部
１７  ミラー
Ｃ  情報カード
Ｈ  吸引口
【図１】
2017042985.tif 000003
【図２】
2017042985.tif 000004
【図３】
2017042985.tif 000005
【図４】
2017042985.tif 000006
【図５】
2017042985.tif 000007
【図６】
2017042985.tif 000008
【図７】
2017042985.tif 000009
【図８】
2017042985.tif 000010
【国際調査報告】
2017042985.tif 000011
2017042985.tif 000012
2017042985.tif 000013